(57)【要約】【課題】収納部に収納された工具の再収納を行うことなく、ユニット単位で上下方向、左右方向及び前後方向に容易に拡大可能にする工具棚を提供する。【解決手段】各フレームユニット１０のコーナーフレーム１１は、延びる方向を所定方向として、所定方向から見たときに四角形の頂点に位置するように配置されている。各コーナーフレーム１１は、フレームユニット１０における収納ユニット３０の収納部３１が配置される側を内側としたときに、外側に開放されたＬ字状をなしており、各コーナーフレーム１１のＬ字の開放側でかつ上記所定方向の両側の端部には、上下方向、左右方向及び前後方向に隣接して並べられたフレームユニット１１同士を連結固定するための連結固定部１７がそれぞれ設けられている。【選択図】図５
2020023015.tif 000002
【特許請求の範囲】
【請求項１】
工具を収納するための工具棚であって、
フレームユニットと、
上記フレームユニットに取り付けられ、上記工具が収納される収納部を有する収納ユニットとを備え、
上記フレームユニットは、
互いに平行に延び、コーナー部分に位置する４つのコーナーフレームと、
上記コーナーフレームの延びる方向を所定方向として、該所定方向から見て上記各コーナーフレームを頂点とする四角形を仮定したときに、該四角形の一辺方向に相隣接する上記コーナーフレーム同士を、上記所定方向の一端側同士及び他端側同士でそれぞれ連結するように延びる二対の第１の連結フレームと、
上記四角形の上記一辺方向と交差する他辺方向に相隣接する上記コーナーフレーム同士を、上記所定方向の上記一端側同士及び上記他端側同士でそれぞれ連結するように延びる二対の第２の連結フレームと、
を有し、
上記フレームユニットにおける上記収納ユニットの収納部が配置される側を内側として、上記各コーナーフレームは外側に開放されたＬ字状をなしており、
上記各コーナーフレームのＬ字の開放側でかつ上記所定方向の両側の端部には、上下方向、左右方向及び前後方向に隣接して並べられた複数の上記フレームユニット同士を連結固定するための連結固定部がそれぞれ設けられていることを特徴とする工具棚。
【請求項２】
請求項１に記載の工具棚において、
上記各フレームユニットは、
上記コーナーフレームが上下方向に延びるように上記フレームユニットを配置したときに、上記収納ユニットを、上記収納部に上記工具を収納可能状態で支持するための第１の支持部がそれぞれ設けられた複数の第１の支持フレームと、
上記コーナーフレームが水平方向に延びるように上記フレームユニットを配置したときに、上記収納ユニットを、上記収納部に上記工具を収納可能状態で支持するための第２の支持部がそれぞれ設けられた複数の第２の支持フレームと、
をそれぞれ有することを特徴とする工具棚。
【請求項３】
請求項２に記載の工具棚において
上記各第２の支持フレームは、上記各第１の連結フレームでそれぞれ構成されていることを特徴とする工具棚。
【請求項４】
請求項１〜３のいずれか１つに記載の工具棚において、
上記各コーナーフレームは、上記所定方向から見て、長方形の頂点に位置するように配置されており、
上記各第１の連結フレームは、上記長方形の長辺方向に相隣接する上記コーナーフレーム同士を連結するフレームであり、
上記各第２の連結フレームは、上記長方形の短辺方向に相隣接する上記コーナーフレーム同士を連結するフレームであり、
複数の上記フレームユニットのうち、上記コーナーフレームが上下方向に延びるように配置されたフレームユニットをそれぞれ横置きフレームユニットとし、上記第１の連結フレームが上下方向に延びるように配置されたフレームユニットをそれぞれ縦置きフレームユニットとして、上記横置きフレームユニットと上記縦置きフレームユニットとを、該横置きフレームユニットの少なくとも１つの上記コーナーフレームと該縦置ききフレームユニットの少なくとも１つの上記コーナーフレームとが隣接するように並べたときに、当該横置きフレームユニットと当該縦置きフレームユニットとを、上記連結固定部を介して連結するための第１の連結補助部材を更に備えることを特徴とする工具棚。
【請求項５】
請求項４に記載の工具棚において、
上記縦置きフレームユニットの高さは、上記横置きフレームユニットの高さの２倍であることを特徴とする工具棚。
【請求項６】
請求項１〜５のいずれか１つに記載の工具棚において、
複数の上記フレームユニットを、上記コーナーフレームが上下方向に延びるようにそれぞれ配置するとともに、複数の上記フレームユニットを、前後方向又は左右方向に隣接するように並べたときに、左右方向又は前後方向に相隣接する上記フレームユニット同士を、上記連結固定部を介して連結するための第２の連結補助部材を更に備えることを特徴とする工具棚。
【請求項７】
請求項１〜６のいずれか１つに記載の工具棚において、
上記各第１の連結フレームを、上記他辺方向に対向する２つの第１の連結フレームで構成される二組の第１の連結フレーム群に分けたときに、該各第１の連結フレーム群を構成する２つの第１の連結フレームは、上記コーナーフレームよりも上記他辺方向の中央寄りに位置しかつ上記一辺方向に沿って平行に延びる第１の平行部と、上記第１の平行部における上記一辺方向の両側の端部から、互いに離間するように近い側の上記コーナーフレームに向かって傾斜して延びる第１の傾斜部とをそれぞれ有し、
上記フレームユニットは、上記各第１の連結フレーム群の上記第１の平行部における上記一辺方向の両側の端部を、該一辺方向の一側同士及び他側同士で上記他辺方向にそれぞれ連結する第１の補強フレームを有することを特徴とする工具棚。
【請求項８】
請求項１〜７のいずれか１つに記載の工具棚において、
上記各第２の連結フレームを、上記所定方向に対向する２つの第２の連結フレームで構成される２組の第２の連結フレーム群に分けたときに、各第２の連結フレーム群を構成する２つの第２の連結フレームは、上記他辺方向の中央部が、上記他辺方向の端部よりも互いに接近しているとともに、該中央部から上記他辺方向の一側及び他側に向かって互いに離れるように傾斜して延びる第２の傾斜部をそれぞれ有し、
上記フレームユニットは、上記各第２の連結フレーム群を構成する２つの第２の連結フレームにおける上記他辺方向の中央部同士を連結する第２の補強フレームを更に有することを特徴とする工具棚。
【請求項９】
請求項８に記載の工具棚において、
上記各第２の連結フレーム群を構成する２つの第２の連結フレームは、上記第２の傾斜部の上記中央部とは反対側の端部から、それぞれ近い側の上記コーナーフレームに向かって上記他辺方向に沿って平行に延びる第２の平行部をそれぞれ有し、
上記第１の支持フレームは、上記所定方向に対向する第２の平行部同士を連結するように設けられていることを特徴とする工具棚。
【発明の詳細な説明】
【技術分野】
【０００１】
本発明は、工具棚に関する技術分野に属する。
【背景技術】
【０００２】
従来より、左右方向及び前後方向に連結可能な工具棚が知られている。
【０００３】
例えば、特許文献１には、棚板、左右一対の側板及び天板からなる組立棚体を、左右方向及び／又は前後方向に複数個対向配置し、各組立棚体の隣接する各天板間及び隣接する棚板間に係脱自在に架設される連結部材を設けて、各組立棚体を連結する組立式整理棚であって、工具類を収容可能な組立式整理棚が開示されている。また、特許文献１には、天板を取り外すことで、左右の側板を上下方向に連結できることが開示されている。
【０００４】
また、特許文献２には、パイプを上下方向、左右方向及び前後方向に連結可能なパイプジョイントを用いて、パイプで構成される単位枠体を上下方向及び左右方向に複数個連結して積み上げ、各単位枠体に棚面を設ける組立式棚が開示されている。
【先行技術文献】
【特許文献】
【０００５】
【特許文献１】特開２０１７−１２５６８号公報
【特許文献２】特開２０１６−１９５８８８号公報
【発明の概要】
【発明が解決しようとする課題】
【０００６】
ところで、工具棚に収容される工具には、特定の作業にのみ用いられるような専用の工具がある。特に、例えば、車両の整備工場では、車種毎に専用の工具が必要となることが多く、工具棚には大量の工具を収納する必要が生じる。特許文献１及び２に記載のような工具棚では、１つの棚体又は棚面に収容するスペースが無くなったときには、新たに工具を収納できる部分を設けることができる。すなわち、特許文献１及び２では、工具を収納するための収納部をユニット単位で拡大することが可能である。
【０００７】
しかしながら、特許文献１及び２に記載の工具棚では、ユニット（棚体又は単位枠体）同士を上下方向に連結するときには、一度、ユニットを分解する必要があり面倒である。特に、上下方向に連結したユニットの最下段に位置するユニットに対して、前後方向又は左右方向に新たにユニットを連結するときには、上段部分のユニットに収納された工具を、一旦外に出してから、ユニットを連結した後に、工具を再収納する必要があり、作業効率がかなり悪化するおそれがある。
【０００８】
本発明は、斯かる点に鑑みてなされたものであり、その目的とするところは、収納部に収納された工具の再収納を行うことなく、ユニット単位で上下方向、左右方向及び前後方向に容易に拡大可能にすることが可能な工具棚を提供することにある。
【課題を解決するための手段】
【０００９】
上記課題を解決するために、本発明は、工具を収納するための工具棚を対象として、フレームユニットと、上記フレームユニットに取り付けられ、上記工具が収納される収納部を有する収納ユニットとを備え、上記フレームユニットは、互いに平行に延び、コーナー部分に位置する４つのコーナーフレームと、上記コーナーフレームの延びる方向を所定方向として、該所定方向から見て上記各コーナーフレームを頂点とする四角形を仮定したときに、該四角形の一辺方向に相隣接する上記コーナーフレーム同士を、上記所定方向の一端側同士及び他端側同士でそれぞれ連結するように延びる二対の第１の連結フレームと、上記四角形の上記一辺方向と交差する他辺方向に相隣接する上記コーナーフレーム同士を、上記所定方向の上記一端側同士及び上記他端側同士でそれぞれ連結するように延びる二対の第２の連結フレームと、を有し、上記フレームユニットにおける上記収納ユニットの収納部が配置される側を内側として、上記各コーナーフレームは外側に開放されたＬ字状をなしており、上記各コーナーフレームのＬ字の開放側でかつ上記所定方向の両側の端部には、上下方向、左右方向及び前後方向に隣接して並べられた複数の上記フレームユニット同士を連結固定するための連結固定部がそれぞれ設けられている、構成とした。
【００１０】
この構成によると、連結固定部が各コーナーフレームの上記所定方向の端部に設けられているため、コーナーフレーム同士が隣接するようにフレームユニットを、上下方向、左右方向又は前後方向に隣接して並べたときには、隣接するフレームユニットの連結固定部同士が接近して位置する。各コーナーフレームが外側に向かって開放されたＬ字状をなしているため、上記連結固定部同士を連結する際に、Ｌ字の開放側に工具を配置しやすく連結作業を容易に行うことができる。また、フレームユニットを分解しなくても、連結固定部同士の連結作業を行うことができる。
【００１１】
さらに、収納ユニットは、フレームユニットの内側に取り付けられているため、収納ユニットが取り付けられたままであっても、上記連結作業の邪魔になることはない。このため、収納ユニットがフレームユニットに取り付けられかつ工具が収納部に収納されたままであっても、フレームユニット同士を連結することができる。
【００１２】
したがって、収納部に収納された工具の再収納を行うことなく、工具棚をユニット単位で上下方向、左右方向及び前後方向に容易に拡大可能にすることができる。
【００１３】
上記工具棚において、上記フレームユニットは、上記コーナーフレームが上下方向に延びるように上記フレームユニットを配置したときに、上記収納ユニットを、上記収納部に上記工具を収納可能状態で支持するための第１の支持部がそれぞれ設けられた複数の第１の支持フレームと、上記コーナーフレームが水平方向に延びるように上記フレームユニットを配置したときに、上記収納ユニットを、上記収納部に上記工具を収納可能状態で支持するための第２の支持部がそれぞれ設けられた複数の第２の支持フレームと、をそれぞれ有していてもよい。
【００１４】
この構成によると、コーナーフレームが上下方向に延びるようにフレームユニットを配置した状態と、コーナーフレームが水平方向に延びるようにフレームユニットを配置した状態との両方の状態で工具棚を使用可能となる。これにより、例えば、第１の連結フレームが、第２の連結フレームよりも長い場合、第１の連結フレームが上下方向に延びるようにフレームユニットを配置すると、該フレームユニットは、上下方向に長く、左右方向及び前後方向に短い、いわゆる縦長の状態にすることができる。水平方向の設置スペースが少ない場合には、縦長の状態の方がユニットの追加が容易になることがある。このため、上記の構成により、工具棚のユニット単位での拡大をより容易にすることができる。
【００１５】
上記支持フレームを有する工具棚において、上記各第２の支持フレームは、上記各第１の連結フレームでそれぞれ構成されていてもよい。
【００１６】
この構成によると、フレームユニットを構成するフレームの数を減らすことができ、フレームユニットの重量を軽量化することができる。これにより、工具棚を上下方向に拡大するときに、フレームユニットを移動させやすくなる。この結果、工具棚のユニット単位での拡大を一層容易にすることができる。
【００１７】
上記工具棚において、上記各コーナーフレームは、上記所定方向から見て、長方形の頂点に位置するように配置されており、上記各第１の連結フレームは、上記長方形の長辺方向に相隣接する上記コーナーフレーム同士を連結するフレームであり、上記各第２の連結フレームは、上記長方形の短辺方向に相隣接する上記コーナーフレーム同士を連結するフレームであり、複数の上記フレームユニットのうち、上記コーナーフレームが上下方向に延びるように配置されたフレームユニットをそれぞれ横置きフレームユニットとし、上記第１の連結フレームが上下方向に延びるように配置されたフレームユニットをそれぞれ縦置きフレームユニットとして、上記横置きフレームユニットと上記縦置きフレームユニットとを、該横置きフレームユニットの少なくとも１つの上記コーナーフレームと該縦置ききフレームユニットの少なくとも１つの上記コーナーフレームとが隣接するように並べたときに、当該横置きフレームユニットと当該縦置きフレームユニットとを、上記連結固定部を介して連結するための第１の連結補助部材を更に備えてもよい。
【００１８】
この構成によると、上記横置きフレームユニットと上記縦置きフレームユニットとを連結することができるため、種々の設置スペースに対応して、フレームユニットを配置するとともに、フレームユニット同士を連結することができる。これにより、工具棚のユニット単位での拡大をより一層容易にすることができる。
【００１９】
上記縦置きフレームユニットと上記横置きフレームユニットとを連結可能な工具棚において、上記縦置きフレームユニットの高さは、上記横置きフレームユニットの高さの２倍であってもよい。
【００２０】
この構成によると、上記横置きフレームユニットを上下方向に２段積むと、上記縦置きフレームユニットと高さが揃うようになる。このため、上段に位置する上記横置きフレームユニットの上側の連結固定部と、上記縦置きフレームユニットの上側の連結固定部とを同じ高さ位置に位置させることができる。これにより、上記横置きフレームユニットと上記縦置きフレームユニットとの連結がより容易になる。この結果、工具棚のユニット単位での拡大をより容易にすることができる。
【００２１】
上記工具棚において、複数の上記フレームユニットを、上記コーナーフレームが上下方向に延びるようにそれぞれ配置するとともに、複数の上記フレームユニットを、前後方向又は左右方向に隣接するように並べたときに、前後方向又は左右方向に相隣接する上記フレームユニット同士を、上記連結固定部を介して連結するための第２の連結補助部材を更に備えてもよい。
【００２２】
この構成によると、第２の連結補助部材を用いて、フレームユニット同士を連結することになるが、フレームユニットを分解したり、収納ユニットをフレームユニットから取り外したりすることなく、第２の連結補助部材を外側から連結固定部に取り付けることができる。これにより、フレームユニット同士の左右方向及び前後方向の連結をさらに容易にすることができる。このため、工具棚のユニット単位での拡大をさらに容易にすることができる。
【００２３】
上記工具棚において、上記二対の第１の連結フレームを、上記他辺方向に対向する２つの第１の連結フレームで構成される二組の第１の連結フレーム群に分けたときに、該各第１の連結フレーム群を構成する２つの第１の連結フレームは、上記コーナーフレームよりも上記他辺方向の中央寄りに位置しかつ上記一辺方向に沿って平行に延びる第１の平行部と、上記第１の平行部における上記一辺方向の両側の端部から、互いに離間するように近い側の上記コーナーフレームに向かって傾斜して延びる第１の傾斜部とをそれぞれ有し、上記フレームユニットは、上記各第１の連結フレーム群の上記第１の平行部における上記一辺方向の両側の端部を、該一辺方向の一側同士及び他側同士で上記他辺方向にそれぞれ連結する第１の補強フレームを有していてもよい。
【００２４】
この構成によると、第１の連結フレームが上下方向に延びるようにフレームユニットを配置し、その上に別のフレームユニットを配置したときには、該別のフレームユニットの重量、該別のフレームユニットに取り付けられた収納ユニットの重量、及び、該収納ユニットに収納された工具の重量による荷重は、第１の傾斜部により上下方向の成分と左右方向の成分とに分けられる。そして、上記の構成では、上下方向の成分を平行部で受け、左右方向の成分を第１の補強フレームで受けることができる。したがって、フレームユニットを上下方向に連結したときに、上側に配置されたフレームユニット等の重量による荷重を下側のフレームユニットで適切に受けることができるため、工具棚を上下方向により容易に拡大することができる。
【００２５】
上記工具棚において、上記二対の第２の連結フレームを、上記所定方向に対向する２つの第２の連結フレームで構成される２組の第２の連結フレーム群に分けたときに、各第２の連結フレーム群を構成する２つの第２の連結フレームは、上記他辺方向の中央部が、上記他辺方向の端部よりも互いに接近しているとともに、該中央部から上記他辺方向の一側及び他側に向かって互いに離れるように傾斜して延びる第２の傾斜部をそれぞれ有し、上記フレームユニットは、上記各第２の連結フレーム群を構成する２つの第２の連結フレームにおける上記他辺方向の中央部同士を連結する第２の補強フレームを更に有していてもよい。
【００２６】
すなわち、コーナーフレームが上下方向に延びるようにフレームユニットを配置し、その上に別のフレームユニットを配置したときには、該別のフレームユニットの重量、該別のフレームユニットに取り付けられた収納ユニットの重量、及び、該収納ユニットに収納された工具の重量による荷重は、コーナーフレームにかかる。コーナーフレームは外側に開放されたＬ状をなしているため、内側よりも外側に向かって曲がりやすくなっている。このため、フレームユニット等の重量による荷重がコーナーフレームにかかったときには、該コーナーフレーム外側に向かって湾曲しそうになる。上記の構成では、第２の傾斜部と第２の補強フレームが設けられているため、コーナーフレームを外側に向かって曲げる力が該コーナーフレームにかかったとしても、第２の傾斜部で該力の一部を上下方向の力に変換し、該変換された力を第２の補強フレームで受けることができる。したがって、フレームユニットを上下方向に連結したときに、上側に配置されたフレームユニット等の重量による荷重を下側のフレームユニットで適切に受けることができるため、工具棚を上下方向に一層容易に拡大することができる。
【００２７】
上記第２の連結フレームに上記第２の傾斜部が形成された上記工具棚において、上記各第２の連結フレーム群を構成する２つの第２の連結フレームは、上記第２の傾斜部の上記中央部とは反対側の端部から、それぞれ近い側の上記コーナーフレームに向かって上記他辺方向に沿って平行に延びる平行部をそれぞれ有し、上記第１の支持フレームは、上記所定方向に対向する水平部同士を連結するように設けられていてもよい。
【００２８】
この構成によると、工具棚を上下方向に拡大したときに、上側のフレームユニット等の重量に基づく荷重を、第１の支持フレームでも受けることができるようになる。これにより、工具棚を上下方向により一層容易に拡大することができる。
【発明の効果】
【００２９】
以上説明したように、本発明に係る工具棚によると、この構成によると、各コーナーフレームが外側に向かって開放されたＬ字状をなしており、各コーナーフレームの延びる方向の端部に連結固定部が設けられているため、連結固定部同士を連結する際に、Ｌ字の開放側に工具を配置しやすく連結作業を容易に行うことができる。また、フレームユニットを分解しなくても、連結固定部同士の連結作業を行うことができる。
【００３０】
さらに、収納ユニットはフレームユニットの内側に取り付けられているため、収納ユニットがフレームユニットに取り付けられかつ工具が収納部に収納されたままであっても、フレームユニット同士を連結することができる。
【００３１】
したがって、収納部に収納された工具の再収納を行うことなく、工具棚をユニット単位で上下方向、左右方向及び前後方向に容易に拡大可能にすることができる。
【図面の簡単な説明】
【００３２】
【図１】本発明の実施形態に係る工具棚の棚ユニット１つ分の構成を示す分解斜視図であって、フレームユニットが横置きの状態を示す。
【図２】横置きフレームユニットの平面図である。
【図３】横置きフレームユニットの側面図である。
【図４】図３のIV-IV線相当の断面図である。
【図５】工具棚の棚ユニット１つ分を示す斜視図であって、フレームユニットを横置きで使用する場合を示す。
【図６】図５のVI-VI線相当の断面図である。
【図７】工具棚の棚ユニット１つ分を示す斜視図であって、フレームユニットを縦置きで使用する場合を示す。
【図８】横置きフレームユニットを上下方向に連結するとともに、縦置きフレームを横置きフレームに連結した状態を示す斜視図である。
【図９】横置きフレームユニットを上下方向に連結したときの連結部分の拡大図である。
【図１０】縦置きフレームと横置きフレームとを連結したときの連結部分の拡大図である。
【図１１】横置きフレームユニットを左右方向に連結した状態を示す斜視図である。
【図１２】横置きフレームユニットを左右方向に連結したときの連結部分の拡大図である。
【発明を実施するための形態】
【００３３】
以下、本発明の実施形態を図面に基づいて詳細に説明する。
【００３４】
図１は、実施形態に係る工具棚１の棚ユニット１００の１つ分の構成を示す。この工具棚１は、フレームユニット１０に工具を収納するため収納部３１を有する収納ユニット３０を取り付けた状態で使用される。上記棚ユニット１００は、１つのフレームユニット１０に収納ユニット３０を取り付けて構成されたもののことを意味する。
【００３５】
工具棚１は、１つの棚ユニット１００で使用可能であり、複数の棚ユニット１００を上下方向、左右方向及び前後方向に並べて使用することもできる。詳しくは後述するが、複数の棚ユニット１００を上下方向、左右方向及び前後方向に並べて使用する場合には、隣接するフレームユニット１０同士が連結される。
【００３６】
〈棚ユニットの構成〉
フレームユニット１０は、図１に示すように、複数の金属製のフレームが、直方体のような形状をなすように配置されている。各フレームは、互いに一体的に接合されて構成されている。各フレームは、それぞれ中空になっている。
【００３７】
フレームユニット１０は、互いに平行に延びかつコーナー部分に位置する４つのコーナーフレーム１１を有する。本実施形態では、コーナーフレーム１１の延びる方向を所定方向（図１では上下方向）として、図２及び図６に示すように、該所定方向から見て、コーナーフレーム１１は、四角形の各頂点、詳しくは、長方形Ｓの各頂点に位置するように配設されている。
【００３８】
フレームユニット１０は、図１に示すように、上記長方形Ｓの長辺方向（四角形の一辺方向、図１では左右方向）に相隣接するコーナーフレーム１１同士を、上記所定方向の一端側同士及び他端側同士でそれぞれ連結するように延びる二対の第１の連結フレーム１２を有する。フレームユニット１０は、図１に示すように、上記長方形Ｓの短辺方向（四角形の他辺方向、図１では前後方向）に相隣接するコーナーフレーム１１同士を、上記所定方向の一端側同士及び他端側同士でそれぞれ連結するように延びる二対の第２の連結フレーム１３を有する。
【００３９】
本実施形態では、棚ユニット１００は、図１や図５に示すように、コーナーフレーム１０が上下方向に延びるように配置された横置き状態と、図７に示すように、第１の連結フレーム１２が上下方向に延びるように配置された縦置き状態との両方で使用可能である。以下の説明では、コーナーフレーム１０が上下方向に延びるように配置された横置き状態のフレームユニット１０を横置きフレームユニット１１０といい、第１の連結フレーム１２が上下方向に延びるように配置された縦置き状態のコーナーフレーム１０を縦置きフレームユニット１１１という。また、以下の説明では、図１及び図５のように、フレームユニット１０が横置きフレームユニット１１０として配置された場合であって、上記所定方向が上下方向、上記長辺方向が左右方向、上記短辺方向が前後方向になるように配置された場合について説明する。
【００４０】
各コーナーフレーム１１は、図４に示すように、横断面がＬ字状をなしている。具体的には、図６に示すように、フレームユニット１０の収納ユニット３０の収納部３１が位置する側を内側としたときに、外側に向かって開放されたＬ字状をなしている。
【００４１】
各コーナーフレーム１１のＬ字の開放側でかつ上下方向の両側の端部には、図１〜図４に示すように、複数のフレームユニット１０同士を連結固定するための連結固定部１７がそれぞれ設けられている。各連結固定部１７は、図２に示すように、Ｌ字の部分を直交する２辺とする正方形状をなしている。各連結固定部１７には、ボルト等の締結部材が挿通される挿通孔１７ａがそれぞれ形成されている。連結固定部１７を利用したフレームユニット１０同士の連結については後述する。
【００４２】
各第１の連結フレーム１２は、図１に示すように、左右方向の端部が、コーナーフレーム１１の上下方向の端部にそれぞれ結合されている。各第１の連結フレーム１２は、図１及び図２に示すように、それぞれ、左右方向の中間部分が、左右方向の両側の端部よりも、前後方向の中央寄りに位置している。具体的には、相対的に前側に位置する第１の連結フレーム１２は、左右方向の中間部分が、左右方向の両側の端部よりも後側に位置しかつ左右方向に真っ直ぐに伸びている一方、相対的に後側に位置する第１の連結フレーム１２は、左右方向の中間部分が、左右方向の両側の端部よりも前側に位置しかつ左右方向に真っ直ぐに延びている。これにより、図２に示すように、各第１の連結フレーム１２を、前後方向に対向する２つの第１の連結フレーム１２で構成される二組の第１の連結フレーム群１２０に分けたときに、該各第１の連結フレーム群１２０を構成する２つの第１の連結フレーム１２は、コーナーフレーム１１よりも前後方向の中央寄りに位置しかつ左右方向に沿って平行に延びる第１の平行部１２ａをそれぞれ有するようになる。
【００４３】
また、各第１の連結フレーム群１２０を構成する２つの第１の連結フレーム１２は、図２に示すように、第１の平行部１２ａにおける左右方向の両側の端部から、互いに離間するように近い側のコーナーフレーム１１に向かって傾斜して延びる第１の傾斜部１２ｂをそれぞれ有している。より具体的には、相対的に前側に位置する第１の連結フレーム１２については、左側に位置する第１の傾斜部１２ｂは左側に向かって前側に傾斜する一方、右側に位置する第１の傾斜部１２ｂは右側に向かって前側に傾斜している。一方で、相対的に後側に位置する第１の連結フレーム１２については、左側に位置する第１の傾斜部１２ｂは左側に向かって後側に傾斜する一方、右側に位置する第１の傾斜部１２ｂは右側に向かって後側に傾斜している。
【００４４】
第１の平行部１２ａと第１傾斜部１２ｂとの接続部分には、各第１の連結フレーム群１２０を構成する２つの第１の連結フレーム１２を、左側同士及び右側同士で前後方向にそれぞれ連結する第１の補強フレーム１４がそれぞれ設けられている。
【００４５】
各第１の連結フレーム１２の平行部１２ａには、図７に示すように、各コーナーフレーム１１が水平方向に延びるようにフレームユニット１０を配置したときに、すなわち、フレームユニット１０を縦置きフレームユニット１１１として配置したときに、収納ユニット３０を、収納部３１に工具を収納可能状態で支持するための複数（本実施形態では、それぞれ１１個）の縦置用支持部４２（第２の支持部）がそれぞれ設けられている。縦置用支持部４２は左右方向（縦置きの場合は上下方向）に等間隔に並んで形成されている。本実施形態では、縦置用支持部４２は、ボルトが挿通される挿通孔で構成されている。本実施形態では、第１の連結フレーム１２の平行部１２ａが第２の支持フレームに相当する。
【００４６】
縦置用支持部４２を構成する挿通孔は、図１１に示すように、上記外側の孔の径が、上記内側の孔の径よりも大きくなるように設定されている。具体的には、上記内側の孔の径は、縦置用支持部４２に挿通されるボルトの軸部よりも大きくかつ頭部よりも小さい径である一方、上記外側の孔の径は、上記ボルトの頭部よりも大きい径である。
【００４７】
各第２の連結フレーム１３は、図１及び図３に示すように、前後方向の端部が、コーナーフレーム１１における上下方向の端部よりも上下方向の中央寄りの部分にそれぞれ結合されている。各第２の連結フレーム１３は、図１及び図３に示すように、それぞれ、前後方向の中央部分が、前後方向の両側の端部よりも上下方向の中央寄りに位置している。具体的には、図３に示すように、相対的に上側に位置する第２の連結フレーム１３は、前後方向の中央部分が、前後方向の両側の端部よりも下側に位置する一方、相対的に下側に位置する第２の連結フレーム１３は、前後方向の中央部分が、前後方向の両側の端部よりも上側に位置する。これにより、各第２の連結フレーム１３を、上下方向に対向する２つの第２の連結フレーム１３で構成される二組の第１の連結フレーム群１３０に分けたときに、該各第２の連結フレーム群１３０を構成する２つの第１の連結フレーム１３は、前後方向の中央部１３ａが、前後方向の端部よりも互いに接近するようになる。
【００４８】
また、各第２の連結フレーム群１３０を構成する２つの第１の連結フレーム１３は、上記中央部１３ａから前側及び後側に向かって互いに離れるように上側及び下側に傾斜して延びる第２の傾斜部１３ｂをそれぞれ有している。より具体的には、相対的に上側に位置する第２の連結フレーム１３については、前側に位置する第２の傾斜部１３ｂは前側に向かって上側に傾斜する一方、後側に位置する第２の傾斜部１３ｂは後側に向かって上側に傾斜している。一方で、相対的に下側に位置する第２の連結フレーム１３については、前側に位置する第２の傾斜部１３ｂは前側に向かって下側に傾斜する一方、後側に位置する第２の傾斜部１３ｂは後側に向かって下側に傾斜している。
【００４９】
上下に対向する中央部１３ａには、各第２の連結フレーム群１３０を構成する２つの第２の連結フレーム１３を上下方向にそれぞれ連結する第２の補強フレーム１５がそれぞれ設けられている。
【００５０】
各第２の連結フレーム群１３０を構成する２つの第２の連結フレーム１３は、図３に示すように、第２の傾斜部１３ｂの中央部とは反対側の端部から、すなわち、前側の第２の傾斜部１３ｂは前側の端部から、後側の第２の傾斜部１３ｂは後側の端部からそれぞれ近い側のコーナーフレーム１１に向かって前後方向に沿って平行に延びる第２の平行部１３ｃをそれぞれ有している。第２の平行部１３ｃは、前側同士及び後側同士で、横置用支持フレーム１６によりそれぞれ上下方向に連結されている。横置用支持フレーム１６は、図１及び図５に示すように、コーナーフレーム１１が上下方向に延びるようにフレームユニット１０を配置したとき、すなわち、横置きフレーム１１０としたときに、収納ユニット３０を、収納部３１に工具を収納可能状態で支持するためのフレームである。横置用支持フレーム１６には、複数（本実施形態では５個）の横置用支持部４１（第１の支持部）がそれぞれ設けられている。横置用支持部４１は、上下方向に等間隔に並んでいる。本実施形態では、横置用支持部４１は、ボルト５０が挿通される挿通孔として構成されている。本実施形態では、横置用支持フレーム１６が第１の支持フレームに相当する。
【００５１】
横置用支持部４１を構成する挿通孔は、図６に示すように、上記外側の孔の径が、上記内側の孔の径よりも大きくなるように設定されている。具体的には、上記内側の孔の径は、横置用支持部４１に挿通されるボルト（後述するボルト５０、５１）の軸部よりも大きくかつ頭部よりも小さい径である一方、上記外側の孔の径は、上記ボルトの頭部よりも大きい径である。
【００５２】
収納ユニット３０は、図１，図５及び図７に示すように、例えば、引出し３２やボックス装置３３である。収納ユニット３０としては、これら引出し３２やボックス装置３３以外にも、棚板を用いることもできる。
【００５３】
引出し３２は、収納部３１を有する引出本体３３と、左右の横置用支持フレーム１６にそれぞれ取り付けられる左右一対の引出用フレーム３４と、引出用フレームの後側に結合される背面板３５と、左右の引出用フレーム３４の下端部にそれぞれ設けられかつ引出本体３３を下側から支持するアンダーレール３６とを有する。また、左側の引出用フレーム３４には、引出本体３３のスライド動作を禁止するためのロック部材３７が設けられている。また、図示は省略しているが、引出本体３３の底面には、アンダーレール３６と係合して引出本体３３をスライドさせるためのクリップが設けられている。
【００５４】
左右の引出用フレーム３４は、図６に示すように、それぞれ、２つの金属パネルを接合させて構成されている。具体的には、引出用フレーム３４は、相対的に上記外側に位置する外側パネル３４ａと、該外側パネル３４ａの上記内側の面における上下方向の中間に位置し、前後方向に延びる内側パネル３４ｂとを有している。詳細には図示していないが、内側パネル３４ｂは、上記外側に向かって開放された断面Ｕ字状をなしており、外側パネル３４ａと内側パネル３４ｂとで閉断面を形成している。
【００５５】
左右の引出用フレーム３４の外側パネル３４ａには、それぞれ横置用支持部４１に対応する部分に、孔３４ｃがそれぞれ設けられている。左右の引出用フレーム３４をそれぞれ孔３４ｃと横置用支持部４１とが対応するように、左右方向において上記内側に配置して、外側からボルト５０を締結することで各引出用フレーム３４が横置用支持部４１にそれぞれ支持される。そして、引出本体３３に設けられた上記クリップとアンダーレール３６とを係合させることで、引出本体３３がアンダーレール３６によりスライド可能なる。これにより、引出し３２がフレームユニット１０に取り付けられる。
【００５６】
ボックスユニット３８は、収納部３１を有するボックス本体３８ａと、左右の横置用支持フレーム１６にそれぞれ取り付けられる左右一対のボックス用フレーム３８ｂとを有する。
【００５７】
ボックス本体３８ａの左右の側壁には貫通孔３８ｃがそれぞれ設けられている。また、左右のボックス用フレーム３８ｂには、外側の部分でかつ横置用支持部４１に対応する部分に、外側孔３８ｄがそれぞれ設けられている。さらに、左右のボックス用フレーム３８ｂには、内側の部分でかつボックス本体３８ａの貫通孔３８ｃに対応する部分に、内側孔３８ｅがそれぞれ設けられている。
【００５８】
ボックス本体３８ａを、各孔３８ｃとボックス用フレーム３８ｂの内側孔とが対応するように配置して、孔３８ｃ及び内側孔３８ｅを介してボルトで固定することで、ボックスユニット３８が組み付けられる。そして、組み付けた後、ボックス用フレーム３８ｂの外側孔３８ｄと横置用支持部４１とが対応するように、ボックスユニット３８を配置して、外側からボルト５１を締結することでボックスユニット３８が横置用支持部４１に支持される。これにより、ボックスユニット３８がフレームユニット１０に取り付けられる。
【００５９】
図６に示すように、収納ユニット３０がフレームユニット１０に取り付けられた状態で、収納ユニット３０の収納部３１は、長方形Ｓで囲まれた領域内に位置する。言い換えると、収納ユニット３０は、該収納ユニット３０の収納部３１が上記領域内に位置するように、フレームユニット１０に取り付けられている。図６では、引出し３２の収納部３１のみを示しているが、ボックスユニット３８の収納部３１も、同様に、長方形Ｓで囲まれた領域内に位置する。
【００６０】
以上のようにして、フレームユニット１０が横置きフレームユニット１１０として配置された場合の、工具棚１の１つの棚ユニット１００が構成される。フレームユニット１０が縦置きフレームユニット１１１として配置された場合の、工具棚１の１つの棚ユニット１００は、図７に示すように、例えば、上記所定方向が左右方向、上記長辺方向が上下方向、上記短辺方向が前後方向になるように配置される。よって、図７の状態でのフレーム構成は、上述の説明の上下方向を左右方向と読み替えるとともに、左右方向を上下方向と読み替えればよい。
【００６１】
棚ユニット１００が縦置き状態の場合において、収納ユニット３０の構成は、前後方向及び左右方向の大きさが、横置きフレームユニット１１０のときと異なるだけであり、基本的な構成は、棚ユニット１００が横置き状態のときと同じである。図示は省略しているが、棚ユニット１００が縦置き状態のときであっても、収納ユニット３０の収納部３１は、長方形Ｓで囲まれた領域内に位置する。
【００６２】
本実施形態では、縦置きフレームユニット１１１の高さＨ２は、横置きフレームユニット１１０の高さＨ１の２倍になっている。つまり、横置きフレームユニット１１０を上下方向に２段に連結したときには、縦置きフレームユニット１１１の高さが揃うようになっている。
【００６３】
〈棚ユニットの連結〉
ここで、例えば、車両の整備工場では、車種毎に専用の工具が必要となることが多く、工具棚１には大量の工具を収納する必要が生じる。しかしながら、１つの棚ユニット１００に対して収納できる工具の数には限界がある。これに対して、本実施形態では、１つの棚ユニット１００に限界まで工具を収納されたときには、新たに別の棚ユニット１００を連結させることで、工具棚１を拡大させて、工具の収納量を増加させることができる。このとき、棚ユニット１００同士の連結は、上下方向、左右方向及び前後方向に隣接するフレームユニット１０同士の連結させることで行われる。
【００６４】
図８には、横置きフレームユニット１１０を上下方向に２段連結するとともに、横置きフレームユニット１１０と縦置きフレームユニット１１１とを左右方向に連結させた場合を示す。上述したように、本実施形態では、各コーナーフレーム１１の上記所定方向の両側の端部に、連結固定部１７がそれぞれ設けられているため、フレームユニット１０同士を上下方向、左右方向及び前後方向に隣接して並べたときには、隣接するフレームユニット１０の連結固定部１７同士が接近するようになる。特に、図８に示すように、横置きフレームユニット１０を上下方向に隣接配置すると、連結固定部１７同士が接触する。本実施形態では、接近した連結固定部１７同士を締結部材により直接連結したり、別体の連結補助部材を用いて連結したりする。
【００６５】
例えば、図８に示すように、横置きフレームユニット１１０同士を上下方向に隣接配置して、当該横置きフレームユニット１１０同士を上下方向に連結させるとする。このときには、図９に示すように、上段の横置きフレームユニット１１０の下側の連結固定部１７の挿通孔１７ａと、下段の横置きフレームユニット１１０の上側の連結固定部１７の挿通孔１７ａとを上下に連通させる。そして、両方の挿通孔１７ａを通るようにボルト５２を挿通して、反対側からナット５３を締結させることで、横置きフレームユニット１１０同士を上下方向に連結させることができる。尚、図９では、挿通孔１７ａは見えていない。
【００６６】
図８に示すように、横置きフレームユニット１１０と縦置きフレームユニット１１１とを、左右方向に隣接するように並べて、当該横置きフレームユニット１１０と当該縦置きフレームユニット１１１とを連結するときには、第１の連結補助部材１８を用いる。横置きフレームユニット１１０と縦置きフレームユニット１１１とを、横置きフレームユニット１１０の少なくとも１つのコーナーフレーム１１と縦置きフレームユニット１１１の少なくとも１つのコーナーフレーム１１とが左右方向に隣接するように並べると、図１０に示すように、縦置きフレームユニット１１１の連結固定部１７は、横置きフレームユニット１１０の連結固定部１７に対して、上下方向に垂直に立ち上がった状態となる。ここに、図１０に示すような、Ｌ字状をした第１の連結補助部材１８をあてがう。第１の連結補助部材１８には各面にそれぞれボルトが挿通される挿通孔が形成されている。各連結固定部１７に接するように、第１の連結補助部材１８をあがったときには、各連結固定部１７の挿通孔１７ａと第１の連結補助部材１８の対応する挿通孔とが連通する。そして、挿通孔１７ａを通るようにボルト５４を挿通して、反対側からナット５５を締結させることで、横置きフレームユニット１１０と縦置きフレーム１１１を連結させることができる。（尚、図１０では、連結固定部１７の挿通孔１７ａ及び第１の連結補助部材１８の挿通孔は、ボルト５４及びナット５５と重複して見えていない。
【００６７】
横置きフレームユニット１１０に対して、縦置きフレームユニット１１１を前後方向に隣接させた場合や上下方向に隣接させた場合であっても、縦置きフレームユニット１１１の連結固定部１７は、横置きフレームユニット１１０の連結固定部１７に対して直交するように位置する。このため、横置きフレームユニット１１０に対して、縦置きフレームユニット１１１を前後方向に隣接させた場合や上下方向に隣接させた場合であっても、第１の連結補助部材１８を用いて横置きフレームユニット１１０と縦置きフレームユニット１１１を連結させることができる。
【００６８】
一方で、図１１に示すように、横置きフレームユニット１１０同士を、左右方向に隣接するように並べて、当該横置きフレームユニット１１０同士を連結するときには、第２の連結補助部材１８を用いる。横置きフレームユニット１１０同士を互いのコーナーフレーム１１が左右方向に隣接するように並べると、図１２に示すように、互いの連結固定部１７が、左右方向に隣接配置された状態となる。ここに、図１２に示すような、平板状の第２の連結補助部材１９をあてがう。第２の連結補助部材１９には各面にそれぞれボルトが挿通される挿通孔が形成されている。各連結固定部１７に接するように、第２の連結補助部材１９をあがったときには、各連結固定部１７の挿通孔１７ａと第２の連結補助部材１９の対応する挿通孔とが連通する。そして、挿通孔１７ａを通るようにボルト５６を挿通して、反対側からナット（連結固定部１７等と重複して見えていない）を締結させることで、左右方向に隣接して並んだ横置きフレームユニット１１０同士を連結させることができる。尚、図１０では、連結固定部１７の挿通孔１７ａ及び第１の連結補助部材１９の挿通孔は、ボルト５６と重複して見えていない。
【００６９】
横置きフレームユニット１１０同士を前後方向に隣接させた場合には、互いの連結固定部１７は前後方向に隣接配置された状態になる。このため、横置きフレームユニット１１０同士を前後方向に隣接させた場合も、第１の連結補助部材１８を用いて横置きフレームユニット１１０同士を連結させることができる。
【００７０】
以上のようにして、フレームユニット１０同士を連結させることで、１つの棚ユニット１００に限界まで工具を収納されたときには、新たに別の棚ユニット１００を連結させて、工具棚１をユニット単位で拡大させることができる。このとき、本実施形態では、コーナーフレーム１１が外側に向かって開放されたＬ字状をなしているため、連結固定部１７同士を連結する際に、Ｌ字の開放側に工具を配置しやすく連結作業を容易に行うことができる。また、フレームユニット１０を分解したり、移動させたりしなくても、フレームユニット１０の連結固定部１７が見えるため、連結固定部１７同士の連結作業を行う際に、フレームユニット１０を分解したり、移動させたりする必要がない。さらに、収納ユニット３０（図６等参照）は、収納部３１（図６等参照）は、フレームユニット１０の上記内側に位置するようにフレームユニット１０に取り付けられているため、収納ユニット３０が取り付けられたままであっても、連結作業の邪魔になることはない。このため、収納ユニット３０がフレームユニット１０に取り付けられかつ工具が収納部に収納されたままであっても、フレームユニット１０同士を連結することができる。したがって、本実施形態では、収納部３１に収納された工具の再収納を行うことなく、工具棚１をユニット単位で上下方向、左右方向及び前後方向に容易に拡大可能にすることができるようになる。
【００７１】
また、本実施形態では、フレームユニット１０は、横置きフレームユニット１１０のときに、収納ユニット３０を収納部３１に工具を収納可能状態で支持する横置用支持部４１と、縦置きフレームユニット１１１のときに、収納ユニット３０を収納部３１に工具を収納可能状態で支持する縦置用支持部４２とを有しているため、横置きフレームユニット１１０の状態及び縦置きフレームユニット１１１の状態の両方で、工具棚１を使用することができる。水平方向の設置スペースが少ない場合には、縦置きフレームユニット１１１の状態の方が棚ユニット１００の追加が容易になることがある。この結果、工具棚１のユニット単位での拡大をより容易にすることができる。
【００７２】
さらに、本実施形態によると、上記のように、横置きフレームユニット１１０と縦置きフレームユニット１１１とを、上下方向、左右方向及び前後方向に連結することができるため、種々の設置スペースに対応して、フレームユニット１０を配置するとともに、フレームユニット１０同士を連結することができる。また、フレームユニット１０を分解することなく、第１の連結補助部材１８を外側から連結固定部１７に取り付けることができる。これにより、工具棚１のユニット単位での拡大を一層容易にすることができる。
【００７３】
また、本実施形態によると、横置きフレームユニット１１０同士を、左右方向及び前後方向に連結することができる。また、フレームユニット１０を分解することなく、第２の連結補助部材１９を外側から連結固定部１７に取り付けることができる。これにより、フレームユニット１０同士の左右方向及び前後方向の連結をさらに容易にすることができる。このため、工具棚１のユニット単位での拡大をさらに容易にすることができる。
【００７４】
さらに、本実施形態では、縦置きフレームユニット１１１の高さＨ２は、横置きフレームユニット１１０の高さＨ１の２倍になっている。このため、横置きフレームユニット１１０を上下方向に２段に連結したときには、縦置きフレームユニット１１１の高さが揃う。これにより、横置きフレームユニット１１０と縦置きフレームユニット１１１との連結を一層容易にすることができる。この結果、工具棚１のユニット単位での拡大をさらに容易にすることができる。
【００７５】
また、本実施形態では、横置用支持部４１及び縦置用支持部４２を構成する挿通孔は、それぞれ、上記内側の孔が、横置用及び縦置用支持部４１，４２に挿通されるボルトの軸部よりも大きくかつ頭部よりも小さい径である一方、上記外側の孔の径が、上記ボルトの頭部よりも大きい径となっている。このため、図６に示すように、収納ユニット３０を取り付けるためのボルトを横置用及び縦置用支持部４１，４２に挿通したときには、上記ボルトの頭部は、横置用及び縦置用支持部４１，４２が設けられているフレーム（第１の連結フレーム１２，横置用支持フレーム１６）の中空部内に位置するようになる。これにより、上記ボルトの頭部が各フレームよりも上記外側に突出しない。この結果、隣接するフレームユニット１０同士を突き合わせて配置することができるため、フレームユニット１０同士の連結をさらに容易にすることができる。
【００７６】
ここで、縦置きフレームユニット１１１の棚ユニット１００の上に、別の棚ユニット１００を載置して連結させるときには、該別の棚ユニット１００の重量による荷重（別の棚ユニット１００を構成するフレームユニット１０の重量、該別の棚ユニット１００に取り付けられた収納ユニット３０の重量、及び、該収納ユニット３０に収納された工具の重量による荷重）を下側の縦置きフレームユニット１１１で受けることになる。本実施形態では、上記別の棚ユニット１００の重量による荷重は、第１の連結フレーム１２における第１の傾斜部１２ｂにより上下方向の成分と左右方向の成分とに分けられる。そして、上下方向の成分を平行部１２ａで受け、左右方向の成分を第１の補強フレーム１４で受けることができる。したがって、縦置きフレームユニット１１１の棚ユニット１００の上に、別の棚ユニット１００を連結したときに、上側に配置された棚ユニット１００の重量による荷重を下側の縦置きフレームユニット１１１で適切に受けることができるため、工具棚１を上下方向により容易に拡大することができる。
【００７７】
また、横置きフレームユニット１１０の棚ユニット１００の上に、別の棚ユニット１００を配置したときには、該別の棚ユニット１００の重量による荷重は、下側の横置きフレームユニット１１０のコーナーフレーム１１にかかる。コーナーフレーム１１は外側に開放されたＬ状をなしているため、上記内側よりも上記外側に向かって曲がりやすくなっている。このため、棚ユニット１００の重量による荷重がコーナーフレーム１１かかったときには、該コーナーフレーム１１は外側に向かって湾曲しそうになる。本実施形態では、第２の傾斜部１３ａと第２の補強フレーム１５が設けられているため、コーナーフレーム１１を外側に向かって曲げる力が該コーナーフレーム１１にかかったとしても、第２の傾斜部１３ａで該力の一部を上下方向の力に変換し、該変換された力を第２の補強フレーム１５で受けることができる。したがって、横置きフレームユニット１１０の棚ユニット１００の上に、別の棚ユニット１００を連結したときに、上側に配置された棚ユニット１００の重量による荷重を下側の横置きフレームユニット１１０で適切に受けることができるため、工具棚１を上下方向に一層容易に拡大することができる。
【００７８】
さらに、本実施形態では、横置用支持フレーム１６は、上記所定方向に対向する水平部１３ｂ同士を連結するように設けられている。これにより、横置きフレームユニット１１０の棚ユニット１００の上に、別の棚ユニット１００を配置して工具棚１を上下方向に拡大したときに、上側の棚ユニット１００の重量による荷重を、横置用支持フレーム１６でも受けることができるようになる。これにより、工具棚１を上下方向により一層容易に拡大することができる。
【００７９】
本発明は、上記実施形態に限られるものではなく、請求の範囲の主旨を逸脱しない範囲で代用が可能である。
【００８０】
例えば、上述の実施形態では、フレームユニット１０では、複数の金属製のフレームが、直方体のような形状をなすように配置されていたが、これに限らず、複数の金属製のフレームが、立方体のような形状をなすように配置されていてもよい。このときには、各コーナーフレーム１１は、上記所定方向から見て、正方形の各頂点に位置するように配設される。また、横置きフレームユニット１１０の高さと縦置きフレームユニット１１１の高さとが同じになる。
【００８１】
また、上述の実施形態では、第１の連結フレーム１２の平行部１２ａが第２の支持フレームを構成していたが、これに限らず、第１の連結フレーム１２とは別に、複数の縦置用支持部４２が設けられた第２の支持フレームが設けられていてもよい。
【００８２】
さらに、上述の実施形態では、フレームユニット１０同士は、第１及び第２の連結補助部材１８，１９を用いた場合でも、基本的にはボルト及びナットからなる締結部材を用いて連結されていたが、これに限らず、連結固定部１７同士、又は、連結固定部１７と第１及び第２の連結補助部材１８，１９とを圧着させることで、フレームユニット１０同士を連結するようにしてもよい。この場合には、各連結固定部１７の挿通孔１７ａ、第１及び第２の連結補助部材１８，１９のそれぞれの挿通孔１８ａ，１９ａは設ける必要がない。
【００８３】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００８４】
本発明は、工具を収納するための工具棚として有用である。
【符号の説明】
【００８５】
１      工具棚
１０    フレームユニット
１１    コーナーフレーム
１２    第１の連結フレーム
１２ａ  第１の平行部（第２の支持フレーム）
１２ｂ  第１の傾斜部
１３    第２の連結フレーム
１３ａ  中央部
１３ｂ  第２の傾斜部
１３ｃ  第２の平行部
１４    第１の補強フレーム
１５    第２の補強フレーム
１６    横置用支持フレーム（第１の支持フレーム）
１７    連結固定部
１８    第１の補助連結部材
１９    第２の補助連結部材
３０    収納ユニット
３１    収納部
４１    横置用支持部（第１の支持部）
４２    縦置用支持部（第２の支持部）
１１０  横置きフレームユニット
１１１  縦置きフレームユニット
１２０  第１の連結フレーム群
１３０  第２の連結フレーム群
Ｈ１    縦置きフレームユニットの高さ
Ｈ２    横置きフレームユニットの高さ
【図１】
2020023015.tif 000003
【図２】
2020023015.tif 000004
【図３】
2020023015.tif 000005
【図４】
2020023015.tif 000006
【図５】
2020023015.tif 000007
【図６】
2020023015.tif 000008
【図７】
2020023015.tif 000009
【図８】
2020023015.tif 000010
【図９】
2020023015.tif 000011
【図１０】
2020023015.tif 000012
【図１１】
2020023015.tif 000013
【図１２】
2020023015.tif 000014